(57)【要約】【課題】ＩＰネットワークを利用したテレビ電話サービスのユーザの操作および利便性を向上する。【解決手段】ＳＩＰサーバー１７０は、音声通信および映像通信をそれぞれ許可または拒否するためのアドレスリスト１８１，１８４と、通信元端末１６０から受信された呼接続要求に含まれる通信先および通信元のＵＲＩをキーにアドレスリスト１８１，１８４を検索し、音声通信を許可するか否かを判定する判定ユニット１７２と、音声通信が許可された端末間の音声通信が確立された後、デジタルテレビ１１１からの映像通信の許可があった場合に端末間の映像通信を確立する映像通信コントローラ１７４とを備える。【選択図】図１
2008011405.tif 000002
【特許請求の範囲】
【請求項１】
音声通信をアドレス毎に許可または拒否するための音声通信用のアドレスリストと映像通信をアドレス毎に許可または拒否するための映像通信用のアドレスリストとが記憶された記憶ユニットと、
前記ＩＰネットワーク上で音声通信および映像通信を確立するためのネットワークインターフェースと、
前記ＩＰネットワークに接続された端末から前記ネットワークインターフェースにより受信された呼接続要求のメッセージから抽出した通信先および通信要求元のアドレス情報をキーにして前記記憶ユニットの各アドレスリストを検索し、音声通信および・または映像通信を確立するか否かの可否判定を行う判定ユニットと、
前記判定ユニットにより前記音声通信の確立が許可された前記通信要求元の端末と前記通信先の端末との間の音声通信を確立する音声通信コントローラと、
前記端末間の音声通信が確立された後に、前記通信先の端末から映像通信を許可する旨の応答メッセージが受信された場合、前記端末間の映像通信を確立する映像通信コントローラとを具備することを特徴とする音声・映像通信制御装置。
【請求項２】
請求項１記載の音声・映像通信制御装置において、
前記判定ユニットは、上記各アドレスリストに存在しない通信要求元のアドレスについては、音声通信を許可、映像通信を拒否として判定することを特徴とする音声・映像通信制御装置。
【請求項３】
請求項１記載の音声・映像通信制御装置において、
前記映像通信用および前記音声通信用の各アドレスリストは、それぞれ通信が許可されたアドレス情報が登録される許可リストと、それぞれの通信が拒否されたアドレス情報が登録される拒否リストとで構成され、
前記通信先の端末から映像通信を許可する旨の応答メッセージが受信された場合、通信要求元の端末のアドレス情報を、前記映像通信用の許可リストに、映像通信を許可するアドレスとして登録する登録ユニットを具備することを特徴とする音声・映像通信制御装置。
【請求項４】
選局されたチャネルの放送を受信するチューナと、
前記チューナにより受信されたチャネルの放送の画面を表示する映像表示器と、
前記チャネルの放送の音声を出力するスピーカと、
映像を撮影するカメラと、
ＩＰネットワーク上でマルチメディアセッションを確立するためのネットワークインターフェースと、
前記ＩＰネットワークに接続された通信要求元の端末からのセッションイニシエーションプロトコル通信用の音声・映像通信制御装置を介した呼接続要求のメッセージが前記ネットワークインターフェースに受信された場合、前記映像表示器および・または前記スピーカから着呼を通知し、この通知に対して音声通信を許可するための指示操作が行われた場合、前記通信要求元の端末との間の音声通信を確立し、その後、映像通信を許可するための指示操作が行われた場合、前記端末間の映像通信を確立して前記カメラにより撮影された映像を送信する一方、前記通信要求元の端末から受信された映像を前記映像表示器の画面に表示する制御部と
を具備することを特徴とする放送受信端末。
【請求項５】
前記制御部は、
前記呼接続要求のメッセージが受信された場合、前記チューナにより放送受信中の前記映像表示器の画面に電話画面を表示して着呼を通知することを特徴とする放送受信端末。
【発明の詳細な説明】
【技術分野】
【０００１】
本発明は、例えば、ＩＰネットワーク上でマルチメディアセッションを確立・変更・終了するためのセッション・イニシエーション・プロトコル（以下ＳＩＰと称す）を用いて音声通信・映像通信を行うための音声・映像通信制御装置、放送受信端末に関するものである。
【背景技術】
【０００２】
従来、音声通信の代表である電話というシステムにおいて、着信は「基本的にすべての着信を受け入れる方式（デフォルトで許可する方式)であった。
【０００３】
しかし、近年、迷惑電話等が社会問題化することにより、着信制限の考え方が導入され、自分が設定した「拒否リスト」に乗っている発信者からの着呼を拒否できるようになった。
【０００４】
一方、通信システムのバックボーン並びに加入者線（足回り）の広帯域化に伴い、昨今では、ＩＰネットワークを利用した音声・映像の通信サービス、いわゆるテレビ電話サービスを、双方向通信技術で実現可能になってきたが、自分の姿が相手に見られてしまうことに対する拒否感から、この種のサービスがなかなか浸透しない状況にある。
【０００５】
調査の結果、この拒否感の根源は、見ず知らずの人からも着信しうる通信システムにおいて、いきなり映像通信を行うことへの躊躇であることが分かってきた。
【０００６】
この拒否感を緩和するため、音声・映像通信システムでは、デフォルトで着信を拒否し、「許可リスト」に乗った発信者からの着信のみを受け付ける方式でテレビ電話サービスを提供することが考えられている。
【０００７】
しかしながら、この場合、最初に「許可する相手の登録」という作業が必要であり、お年寄りに代表される、特にＩＴ技術に疎いユーザ層には、非常に敷居の高いものとなってしまっていた。
【０００８】
少しでもその敷居を低くするために、一度相手から自分宛に発信してもらい、後刻、着信者リスト（最初の段階ではすべて拒否された発信者のリストになっている）を見ながら特定の相手を許可リストに移す、という方式も考えられていた。
【０００９】
しかし、この場合も、従来の音声電話と比較すると、通信の前に余計な手間が必要であり、一般のユーザには受け入れがたいものがある。
【００１０】
また、従来の場合、発信者の端末側では、通信を始める際に通信先の端末により必ず拒否されてしまうため、テレビ電話サービスを利用したいユーザの意思を殺ぐものとなっていた。
【００１１】
映像と音声を切り替えるための先行技術としては、例えば留守番設定を行うにあたり、映像のみ、または、映像および音声の２つに設定可能な留守番テレビ電話が既にある（例えば特許文献１参照）。
【特許文献１】特開平６−１９７３３８号公報
【発明の開示】
【発明が解決しようとする課題】
【００１２】
しかしながら、上記先行技術の場合、留守時の監視が目的のため、音声をなくすことはできるものの映像表示は必須とされるため、迷惑電話等の際に電話をかけてきた相手に対してこちら側の映像を見せないようにすることには適さない。
【００１３】
本発明はこのような課題を解決するためになされたもので、ＩＰネットワークを利用した音声・映像通信サービスをユーザに提供する上で、ユーザの操作性および利便性を向上することのできる音声・映像通信制御装置、放送受信端末を提供することを目的とする。
【課題を解決するための手段】
【００１４】
上記した課題を解決するために本発明の音声・映像通信制御装置は、音声通信をアドレス毎に許可または拒否するための音声通信用のアドレスリストと映像通信をアドレス毎に許可または拒否するための映像通信用のアドレスリストとが記憶された記憶ユニットと、前記ＩＰネットワーク上で音声通信および映像通信を確立するためのネットワークインターフェースと、前記ＩＰネットワークに接続された端末から前記ネットワークインターフェースにより受信された呼接続要求のメッセージから抽出した通信先および通信要求元のアドレス情報をキーにして前記記憶ユニットの各アドレスリストを検索し、音声通信および・または映像通信を確立するか否かの可否判定を行う判定ユニットと、前記判定ユニットにより前記音声通信の確立が許可された前記通信要求元の端末と前記通信先の端末との間の音声通信を確立する音声通信コントローラと、前記端末間の音声通信が確立された後に、前記通信先の端末から映像通信を許可する旨の応答メッセージが受信された場合、前記端末間の映像通信を確立する映像通信コントローラとを具備することを特徴とする。
【００１５】
本発明の放送受信端末は、選局されたチャネルの放送を受信するチューナと、前記チューナにより受信されたチャネルの放送の画面を表示する映像表示器と、前記チャネルの放送の音声を出力するスピーカと、映像を撮影するカメラと、ＩＰネットワーク上でマルチメディアセッションを確立するためのネットワークインターフェースと、前記ＩＰネットワークに接続された通信要求元の端末からのセッションイニシエーションプロトコル通信用の音声・映像通信制御装置を介した呼接続要求のメッセージが前記ネットワークインターフェースに受信された場合、前記映像表示器および・または前記スピーカから着呼を通知し、この通知に対して音声通信を許可するための指示操作が行われた場合、前記通信要求元の端末との間の音声通信を確立し、その後、映像通信を許可するための指示操作が行われた場合、前記端末間の映像通信を確立して前記カメラにより撮影された映像を送信する一方、前記通信要求元の端末から受信された映像を前記映像表示器の画面に表示する制御部とを具備することを特徴とする。
【００１６】
本発明では、通信要求元の端末から通信先の端末に対して呼接続要求があった場合、映像通信（特に限定しない限り音声も含む)に先立ち、音声通信を確立し、通信先の利用者に通信要求元の相手の声を聞かせる。その相手に対して通信先の利用者が映像通信を許可して良いと考えた場合には、通信先の端末においてマウス操作またはリモコンのボタン選択操作等で簡易な許可操作を行うことで、映像通信の確立と映像通信用の許可リストへの登録とを自動的に行うことで、以降、その通信相手とは、ユーザが一々許可リストへの登録操作を行うことなく、音声・映像のビジュアルコミュニケーションを行えるようになり、ユーザの利便性を向上すると共に、サービスの加入促進を図ることができる。
【発明の効果】
【００１７】
本発明によれば、ＩＰネットワークを利用した音声・映像通信サービスをユーザに提供する上で、ユーザの操作性および利便性を向上することができる。
【発明を実施するための最良の形態】
【００１８】
以下、本発明の実施の形態について図面を参照しながら説明する。図１はこの発明を適用した放送受信端末の一例であるデジタルテレビジョン放送受信装置１１１（以下、「デジタルテレビ１１１」と称す。）の外観と、このデジタルテレビ１１１を接続した映像・音声通信システムの一例を概略的に示している。
【００１９】
すなわち、デジタルテレビ１１１は、主として、薄型のキャビネット１１２と、このキャビネット１１２を起立させて支持する支持台１１３とを有している。キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００２０】
また、このデジタルテレビ１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００２１】
さらに、このデジタルテレビ１１１には、例えば契約情報等の記録された第２のメモリカード（ＩＣカード）１２０が着脱可能となっており、この第２のメモリカード１２０に対して情報の記録再生が行なわれるようになっている。
【００２２】
また、このデジタルテレビ１１１は、第１のＬＡＮ（Local Area Network）端子１２１、第２のＬＡＮ端子１２２、ＵＳＢ（Universal Serial Bus）端子１２３及びｉ．ＬＩＮＫ（登録商標）端子１２４を備えている。ｉ．ＬＩＮＫ端子１２４には、デジタル方式のビデオカメラ１５２（図２参照）などが接続される。ビデオカメラ１５２は、テレビ電話のためのカメラ、マイクとして動作する。
【００２３】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００２４】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００２５】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＳＩＰ（Session Initiation Protocol）サーバコンピュータ（以下ＳＩＰサーバー１７０と称す）、通信元端末１６０、ＨＤＤ内蔵のＤＶＤ（Digital Versatile Disk）レコーダ１２９等の機器を接続し、これらの機器と情報伝送を行なうために使用される。
【００２６】
ＳＩＰサーバー１７０は、例えば通信元端末１６０とデジタルテレビ１１１との間における音声・映像通信サービス、つまりテレビ電話サービスを提供するためのサーバー機器であり、音声・映像通信制御装置として機能する。ＳＩＰサーバー１７０の内部構成については、図３を参照し後で詳細に説明する。
【００２７】
通信元端末１６０は、テレビ電話ソフトウェアなどがインストールされたコンピュータまたはテレビ電話専用端末であり、例えばＵＳＢタイプのカメラとマイクロフォンを備える。つまり通信元端末１６０は、テレビ電話機能を有するテレビ電話端末である。
【００２８】
通信元端末１６０のユーザは、通信元端末１６０のテレビ電話機能を起動させて、起動したテレビ電話機能の画面から通信先、例えばデジタルテレビ１１１のＵＲＩを指定した上で通話操作を行うことで、テレビ電話機能は、ＳＩＰサーバー１７０に対して呼接続要求を発行する。また、テレビ電話機能は、通信相手の端末との音声通信および映像通信のセッションを確立し通信を行う。
【００２９】
コンテンツサーバー１２８は、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００３０】
なお、ＤＶＤレコーダ１２９については、第２のＬＡＮ端子１２２を介して通信されるデジタル情報が制御系のみの情報であるため、デジタルテレビ１１１との間でアナログの映像及び音声情報を伝送するために、専用のアナログ伝送路１３０を設ける必要がある。
【００３１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバー１３３や携帯電話１３４等と情報伝送を行なうために使用される。ネットワーク１３２は、ＩＰネットワークである。
【００３２】
なお、コンテンツサーバー１３３についてはコンテンツのサーバー機器として動作するための機能を持ち、さらにコンテンツのアクセスに必要なＵＲＩ情報を提供するサービスを備えたＵＰｎＰ対応機器として構成される。
【００３３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００３４】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００３５】
上記に加えて、デジタルテレビ１１１は、アナログのＡＶ端子に接続されたアナログ方式のビデオカメラ１５０と、またはｉ．ＬＩＮＫ端子に接続されたデジタル方式のビデオカメラ１５２とを有している。いずれのカメラとマイクロフォンを有している。
【００３６】
双方向映像通信を行う際は、まずネットワーク１３２上のＳＩＰサーバー１７０を介して通信元端末１６０に接続し、接続後は、ＳＩＰサーバー１７０と通信元端末１６０との間で直接映像および音声の通信を行うことができる。
【００３７】
上記ビデオカメラ１５０は、符号化器１５１を介して制御部２６１に接続されている。符号化器１５１は、ビデオカメラ１５０により取り込まれた映像・音声を符号化する。制御部２６１は、ビデオカメラ１５０より取り込まれた映像・音声を通信元端末１６０へ送信するとともに、通信元端末１６０の通信相手からの符号化された映像・音声を受信して復号し制御部２６１へ出力する。
【００３８】
制御部２６１では、復号された映像が映像処理部２５８を通じて映像表示器１１４に表示される。また、制御部２６１では、復号された音声が音声処理部２５５を通じてスピーカ１１５から出力される。
【００３９】
図２は、上記したデジタルテレビ１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００４０】
チューナ２４５ａは、制御部２６１からの制御信号により所望のチャンネルの放送信号を選局し、この選局された放送信号をＰＳＫ（Phase Shift Keying）復調器２４５ｂに出力する。
【００４１】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００４２】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ（図示せず）へ出力する。
【００４３】
また、ＴＳ復号器２４５ｃは、デジタル放送により送られているセクション情報を信号処理部２４７へ出力する。
【００４４】
また、地上波放送受信用のアンテナ２４８で受信した地上デジタルテレビジョン放送信号は、入力端子２４９を介して地上デジタル放送用のチューナ２５０ａに供給される。
【００４５】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００４６】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００４７】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファへ出力する。
【００４８】
また、ＴＳ復号器２５０ｃは、デジタル放送により送られているセクション情報を信号処理部２４７へ出力する。
【００４９】
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００５０】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００５１】
制御部２６１は、これら入力された情報からＥＰＧ，字幕を表示するため画像生成処理を行い、この生成した画像情報をグラフィック処理部２５４へ出力する。
【００５２】
信号処理部２４７は、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００５３】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００５４】
また、字幕放送による字幕を表示するとき、グラフィック処理部２５４は、制御部２６１からの制御による字幕情報に基づき、映像信号上に字幕情報を重畳する処理を行う。
【００５５】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００５６】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００５７】
ここで、このデジタルテレビ１１１は、上記した各種の受信動作を含むその全ての動作を制御部２６１によって統括的に制御されている。この制御部２６１は、ＣＰＵ（Central Processing Unit）等を内蔵しており、操作部１１６からの操作情報を受け、または、リモートコントローラ１１７から送出された操作情報を、前記受光部１１８を介して受信し、その操作内容が反映されるように各部をそれぞれ制御している。
【００５８】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００５９】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００６０】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００６１】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００６２】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００６３】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００６４】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００６５】
ところで、この実施形態では、ＨＤＤ１２５に初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００６６】
また、不揮発性メモリ２６１ｃに、ＨＤＤ１２５、ＨＤＤ１２７、コンテンツサーバー１２８、ＤＶＤレコーダ１２９それぞれのストレージＩＤを記憶している。
【００６７】
また、制御部２６１は、この発明に係わる機能として、ＵＰｎＰを利用したサーバー機器発見機能２６１ｄと、ＵＰｎＰを利用したコンテンツ情報取得機能２６１ｅと、コンテンツアクセス制御機能２６１ｆとを備えている。
【００６８】
制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてコンテンツサーバー１２８を発見する。
【００６９】
制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
【００７０】
制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビ１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００７１】
この他、制御部２６１は、ネットワーク１３２に接続された通信元端末１６０からのＳＩＰサーバー１７０を介した呼接続要求のメッセージが通信Ｉ／Ｆ２７０に受信された場合、映像表示器１１４の画面に電話画面１９０（図７）をポップアップ表示させて「…さんから電話です」などのメッセージを表示させて着呼を通知し、この通知に対して通話ボタン１９１などが押下されて音声通信を許可するための指示操作が行われた場合、ＳＩＰサーバー１７０へその旨の応答メッセージを返信する。
【００７２】
着呼の通知は、映像表示器１１４だけでなく、スピーカ１１５から音声を発して着呼を通知しても良く、これらのうち少なくとも一つの報知手段で着呼を通知すれば良い。
【００７３】
また、制御部２６１は、応答メッセージの返信で通信元端末１６０との間の音声通信が確立された場合、映像表示器１１４の電話画面１９０のビデオボタン１９２を点滅させるなどして映像通信の可否の指示操作を促す情報を出力し、これに対してビデオボタン１９２が押下されるなどして、映像通信を許可するための指示操作が行われた場合、ＳＩＰサーバー１７０へその旨の応答メッセージを返信し、端末間の映像通信を確立してビデオカメラ１５０により撮影された映像を送信する一方、通信元端末１６０から受信された映像を映像表示器１１４の画面に表示する。
【００７４】
制御部２６１は、映像通信を許可するための指示操作が行われた後、ＳＩＰサーバー１７０を介して受信された通信元端末１６０からの映像１９７を、チューナ２４５ａまたはチューナ２５０ａにより放送受信中の映像表示器１１４の画面１１４ａにピクチャーインピクチャー（ＰｉｎＰ）の形態で表示する（図８参照）。
【００７５】
制御部２６１は、呼接続要求のメッセージが受信された場合、チューナ２４５ａにより放送受信中の映像表示器１１４の画面１１４ａに電話画面１９０をポップアップ表示して着呼を通知する。
【００７６】
以下、信号処理部２４７内の構成について、図３を用いて詳細に説明する。なお、図２ではデジタル放送受信信号の入力は２系統存在しているが、これらの信号処理に関するブロックについては図３では図示していない。図３では、コンテンツサーバー１２８から再生されたトランスポートストリームの形で入力されるコンテンツを再生するブロックについてのみ記載している。
【００７７】
双方向映像通信を行う場合は、デジタルテレビ１１１にビデオカメラ（ビデオカメラ１５０またはビデオカメラ１５２）を接続する。ビデオカメラがｉ．ＬＩＮＫインターフェースを有したデジタル方式のビデオカメラの場合は、ｉ．ＬＩＮＫ端子に接続する。また、ビデオカメラがｉ．ＬＩＮＫインターフェースを持たないものの場合はアナログAV端子にビデオカメラを接続する。ｉ．ＬＩＮＫで入力される映像・音声信号は、既に符号化されたものとなっている。
【００７８】
アナログＡＶ端子にビデオカメラ１５０を接続した場合は、ビデオカメラ１５０から入力されたアナログの映像信号および音声信号は、ＡＤ変換機能を含む符号化器１５１にて符号化される。通信は、通信端子１２２を介して接続されたルータ、ネットワークを経て、ネットワーク１３２上のＳＩＰサーバー１７０に接続し、各端末とＳＩＰサーバー１７０とのＳＩＰのメッセージのやりとりにより通信を確立する。
【００７９】
通信元端末１６０から通信相手の端末、例えばデジタルテレビ１１１に対して呼接続要求のメッセージを送り、中継するＳＩＰサーバー１７０から、呼接続要求のメッセージに対して接続許可のメッセージが受信された場合、通信元端末１６０とデジタルテレビ１１１との間、つまり端末同士の間で直接のリンクを張り（セッションを確立し）、通信を行う。この通信にて、まず能力交換を行って、映像・音声の符号化パラメータ等の調整を行った後、符号化された映像・音声信号の交換を行うことにより、双方向の通信を実現する。
【００８０】
図３に示すように、ＳＩＰサーバー１７０は、ネットワークインターフェース１７１（以下ＮＥＴ Ｉ／Ｆ１７１と称す）、判定ユニット１７２、音声通信コントローラ１７３、映像通信コントローラ１７４、登録ユニット１７５、記憶ユニット１８０を有しており、これらのコントローラおよびユニットにより呼接続制限機能が実現される。
【００８１】
記憶ユニット１８０には、音声通信をアドレス毎に許可または拒否するための音声通信用のアドレスリスト１８１と映像通信をアドレス毎に許可または拒否するための映像通信用のアドレスリスト１８４とが記憶されている。
【００８２】
映像通信用のアドレスリスト１８１および音声通信用のアドレスリスト１８４は、それぞれ通信が少なくとも一度許可されたアドレス情報であるＵＲＩが登録される許可リスト１８３，１８６と、それぞれの通信が少なくとも一度拒否されたＵＲＩが登録される拒否リスト１８２，１８５とで構成されている。
【００８３】
図４に示すように、拒否リスト１８２には、通信先毎に拒否された通信元のＵＲＩが記憶されている。この例では、通信先のＵＲＩ「ＳＩＰ：○○○＠ＸＸＸ．ｃｏｍ」に対して、拒否されたＵＲＩとして「ＳＩＰ：△△△＠ＺＺＺ．ｃｏ．ｊｐ」、「ＳＩＰ：△Ｘ□＠ＸＹＺ．ｃｏ．ｊｐ」、「ＳＩＰ：△ＸＸ△＠ＺＺＸ．ｃｏｍ」が既に登録されている。
【００８４】
図５に示すように、許可リスト１８６には、通信先毎に許可されたＵＲＩが記憶されている。この例では、通信先のＵＲＩ「ＳＩＰ：○○○＠ＸＸＸ．ｃｏｍ」に対して、許可された通信元のＵＲＩは、まだ登録されていない。
【００８５】
ＮＥＴ Ｉ／Ｆ１７１は、このサーバーをネットワーク１３２に接続し、ネットワーク１３２上で音声通信および映像通信を確立するためのインターフェースである。
【００８６】
判定ユニット１７２は、ネットワーク１３２に接続された端末、例えば通信元端末１６０からＮＥＴ Ｉ／Ｆ１７１により受信された呼接続要求のメッセージから抽出したデジタルテレビ１１１および通信元端末１６０のＵＲＩをキーにして記憶ユニット１８０の各アドレスリスト１８１，１８４を検索し、該当ＵＲＩが登録されているか否かで、音声通信および・または映像通信を確立するか否かの可否判定を行う。
【００８７】
すなわち、判定ユニット１７２は、通信元端末１６０から受信された呼接続要求に含まれる通信先および通信元のＵＲＩをキーにアドレスリスト１８１，１８４を検索し、音声通信を許可するか否かを判定する。
【００８８】
判定ユニット１７２は、各アドレスリスト１８１，１８４に存在しないＵＲＩ（通信元端末１６０のアドレス）については、デフォルト設定で音声通信を「許可」、映像通信を「拒否」として判定する。
【００８９】
音声通信コントローラ１７３は、判定ユニット１７２により音声通信の確立が許可された通信元端末１６０からデジタルテレビ１１１への呼接続要求のメッセージをデジタルテレビ１１１へ送信する。
【００９０】
音声通信コントローラ１７３は、呼接続要求のメッセージに対してデジタルテレビ１１１より、通話を許可する旨の応答メッセージが受信された場合、端末間の音声通信を確立する。
【００９１】
映像通信コントローラ１７４は、音声通信コントローラ１７３により端末間の音声通信が確立された後、デジタルテレビ１１１から映像通信を許可する旨の応答メッセージが受信された場合、端末間の映像通信を確立する。
【００９２】
登録ユニット１７５は、デジタルテレビ１１１のビデオボタン１９２が押下されたり、または許可登録ボタン１９４が押下されることで、映像通信を許可する旨の応答メッセージがデジタルテレビ１１１から受信された場合、通信元端末１６０のＵＲＩを、映像通信用の許可リスト１８６に、映像通信を許可するＵＲＩとして登録する。
【００９３】
以下、図６乃至図８を参照してこの音声・映像通信システムの動作を説明する。
【００９４】
この音声・映像通信システムの場合、デジタルテレビ１１１のユーザとテレビ電話（通信）を開始しようとする通信元端末１６０のユーザが、通信元端末１６０のテレビ電話機能を起動させて、テレビ電話機能の画面からデジタルテレビ１１１のＵＲＩを指定した上で、通話操作を行うことで、ＳＩＰサーバー１７０に対して呼接続要求のメッセージを送信する（Ｓ１０１）。呼接続要求のメッセージには、少なくとも通信元端末１６０のＵＲＩと送信先のＵＲＩが含まれる。この例では、例えば通信元端末１６０のＵＲＩが「ＳＩＰ：□□＠ＸＸ．ｃｏｍ」であり、送信先のデジタルテレビ１１１のＵＲＩが「ＳＩＰ：○○○＠ＸＸＸ．ｃｏｍ」であるものとする。
【００９５】
ＳＩＰサーバー１７０では、呼接続要求のメッセージがＮＥＴ Ｉ／Ｆ１７１で受信されると（Ｓ１０２）、判定ユニット１７２により呼接続要求のメッセージから通信先のＵＲＩと通信元のＵＲＩが抽出される。この例の場合、通信元は、通信元端末１６０であり、通信先はデジタルテレビ１１１である。
【００９６】
判定ユニット１７２は、まず、着信先の端末であるデジタルテレビ１１１の接続制限モードを調べる。この例の場合、初期状態では、デジタルテレビ１１１の映像通信用のプロファイルは、「デフォルト拒否」のモードになっており、かつ許可リスト１８６は空になっている。なお音声通信用のプロファイルは、「デフォルト許可」となっているものとする。
【００９７】
従って、判定ユニット１７２は、抽出したデジタルテレビ１１１および通信元端末１６０のＵＲＩをキーにして記憶ユニット１８０の音声通信用のアドレスリスト１８１の拒否リスト１８２を検索し、拒否リスト１８２に対応するＵＲＩが存在するか否か（ＵＲＩの有無）によって接続可否を確認する（Ｓ１０３）。例えば、検索により、音声通信用の拒否リスト１８２に通信元端末１６０のＵＲＩが登録されていた場合は、音声通信の着信が拒否される。
【００９８】
また、検索の結果、音声通信用の拒否リスト１８２に、通信元端末１６０のＵＲＩが登録されていない場合、判定ユニット１７２は、接続制限モードは「デフォルト許可」のため、音声通話接続を許可と判定し（Ｓ１０４）、許可信号を音声通信コントローラ１７３に送出する。
【００９９】
音声通信コントローラ１７３は、許可信号を受けると、デジタルテレビ１１１に対して音声の呼接続要求のメッセージを転送する。
【０１００】
デジタルテレビ１１１では、ユーザがテレビ放送を視聴中に、音声の呼接続要求のメッセージが受信されると、制御部２６１は、図７に示すように、映像表示器１１４の画面１１４ａに電話画面１９０をホップアップ表示することで、着呼を報知する（Ｓ１０４）。
【０１０１】
電話画面１９０には、「○○○＠ＸＸＸ．ｃｏｍさんから電話です」などいったメッセージと、通話ボタン１９１、ビデオボタン１９２、終話ボタン１９３、許可登録ボタン１９４、拒否登録ボタン１９５などの操作ボタンが表示されている。この他、操作ボタンとしては、いまだけ映像通信ボタンなども用意されている。
【０１０２】
なお、この例では、ＵＲＩをそのままメッセージで表示したが、ＵＲＩと氏名の対応テーブルを不揮発性メモリ２６１ｃに記憶させておくことで、通信元のユーザの氏名を、表示メッセージに入れても良い。
【０１０３】
ホップアップ表示した電話画面１９０で着呼を確認したテレビ視聴中のユーザが、通話ボタン１９１をリモートコントローラ１１７やマウスなどの操作で押下することで（Ｓ１０５）、制御部２６１は、音声の呼接続要求のメッセージに対し、通話を許可する応答のメッセージをＳＩＰサーバー１７０を介して通信元端末１６０へ送信する。
【０１０４】
これにより、通信元端末１６０とデジタルテレビ１１１間で音声通信のセッションが確立され（Ｓ１０７）、互いの間で音声通信が可能になる（Ｓ１０８）。
【０１０５】
音声通信が確立した後、制御部２６１は、電話画面１９０のビデオボタン１９２またはいまだけ映像通信ボタンなどを点滅表示するなどして（Ｓ１０９）、ユーザに対して映像通信の可否の指示操作を促す情報を出力する。
【０１０６】
これに対して、通話相手の声を聞いたユーザが通信元端末１６０の相手を確認し、ビデオボタン１９２または、いまだけ映像通信ボタンを押下すると（Ｓ１１０）、制御部２６１は、映像通信を許可するための指示操作が行われたものとして、映像通信を許可する旨のメッセージ（映像通信接続要求のメッセージ）をＳＩＰサーバー１７０へ送信する。
【０１０７】
ＳＩＰサーバー１７０では、映像通信接続要求のメッセージが受信されると、通信元端末１６０へ転送する。
【０１０８】
これにより、通信元端末１６０とデジタルテレビ１１１間で映像通信のセッションが確立され（Ｓ１１１）、互いの間で映像と音声の同時通信が可能になり、制御部２６１は、ビデオカメラ１５０により撮影された映像を送信する一方、図８に示すように、通信元端末１６０から受信された通話相手の映像１９７を映像表示器１１４の画面１１４ａに表示する（Ｓ１１２）。
【０１０９】
テレビ電話中、デジタルテレビ１１１側のユーザが、許可登録ボタン１９４を操作することで、制御部２６１により、登録要求のメッセージがＳＩＰサーバー１７０へ送信される。
【０１１０】
ＳＩＰサーバー１７０では、登録ユニット１７５により、許可リスト１８３，１８６に通信相手のアドレス情報が登録される（Ｓ１１３）。
【０１１１】
また、テレビ電話を終えるため、デジタルテレビ１１１側のユーザが終話ボタン１９３を押下した場合も（Ｓ１１４）、通話中に映像通信を許可していれば上記許可登録ボタン１９４のときと同様に登録要求のメッセージがＳＩＰサーバー１７０へ送信されるので、登録操作をすることなく通信相手の情報を許可リスト１８３，１８６に登録することができる（Ｓ１１５）。
【０１１２】
つまり、デジタルテレビ１１１側のユーザは、音声通話中、または終話時に、通話相手を、次回以降、音声と映像で通信できるように許可するための登録をワンタッチで行うことができる。
【０１１３】
なお、音声通話中に、映像通信を行わない場合であっても、デジタルテレビ１１１の電話画面１９０に用意されている「最後の人を許可リストに登録する」ための登録ボタン（図示せず）を操作しておくことで、音声通話の終了、つまり終話ボタン１９３の押下操作をトリガにして、制御部２６１により音声通話用の許可リストへの登録要求のメッセージがＳＩＰサーバー１７０へ送信されるので、ＳＩＰサーバー１７０では、登録ユニット１７５により、通信相手のＵＲＩが許可リスト１８３に登録され、アドレスリスト１８１が更新される。
【０１１４】
つまり、音声通信用の許可リスト１８３への登録を終話ボタン１９３のワンタッチ操作で可能となる。
【０１１５】
このようにこの実施形態の音声・映像通信システムによれば、初期設定で音声通信と映像通信のモードを設定しておくことで、電話をかける相手がアドレスリスト１８１，１８４に登録されていない場合であっても音声通話を行うことができる。
【０１１６】
また、テレビ放送を視聴中に着信があった場合に、映像表示器１１４の画面１１４ａに電話画面１９０を表示し、通話ボタン１９１を一度押すだけで通話でき、通話中に電話画面１９０でビデオボタン１９２を一回操作するだけで映像通信が可能になり、終話ボタン１９３を押せば、テレビ電話を終了と同時に許可リストに通信相手の情報が自動登録されるので、着信制限を行うためのリスト登録という仕組みに不慣れなユーザがテレビ電話サービスを利用する上で通話相手を音声で確認した上で映像通信へ移行でき、しかもその通話相手を次回からの許可リストに自然に登録することができる。
【０１１７】
この結果、ＩＰネットワークを利用したテレビ電話サービスをユーザに提供する上でユーザの利便性を向上すると共に、このサービスへの加入を促進することができる。
【０１１８】
なお、本発明は上記実施形態のみに限定されるものではなく、実施段階ではその要旨を逸脱しない範囲で構成要素を変形して具体化できる。また、上記実施形態に開示されている複数の構成要素の適宜な組み合わせることにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【０１１９】
【図１】本発明の一実施形態の音声・映像通信システムの構成を示す図である。
【図２】デジタルテレビの主要な信号処理系を示すブロック図である。
【図３】ＳＩＰサーバーの構成を示すブロック図である。
【図４】音声通信用の拒否リストの一例を示す図である。
【図５】映像通信用の許可リストの一例を示す図である。
【図６】この音声・映像通信システムの動作を示すシーケンスチャートである。
【図７】ディスプレイの電話画面の表示例を示す図である。
【図８】映像通信を許可して電話画面に相手の映像を表示したときの表示例を示す図である。
【符号の説明】
【０１２０】
１１１…デジタルテレビジョン放送受信装置（デジタルテレビ）、１１４…映像表示器、１１４ａ…画面、１１５…スピーカ、１１６…操作部、１１７…リモートコントローラ、１５０…ビデオカメラ、１５１…符号化器、１５２…ビデオカメラ、１６０…通信元端末、１７０…ＳＩＰサーバー、１７１…ネットワークインターフェース（ＮＥＴ Ｉ／Ｆ）、１７２…判定ユニット、１７３…音声通信コントローラ、１７４…映像通信コントローラ、１７４…映像通信コントローラ、１７５…登録ユニット、１８０…記憶ユニット、１８１，１８４…アドレスリスト、１８２，１８５…拒否リスト、１８３，１８６…許可リスト、１９０…電話画面、１９１…通話ボタン、１９２…ビデオボタン、１９３…終話ボタン、１９４…登録ボタン、１９４…許可登録ボタン、１９５…拒否登録ボタン、２４５ａ…チューナ、２６１……制御部、２７０…通信Ｉ／Ｆ。
【図１】
2008011405.tif 000003
【図２】
2008011405.tif 000004
【図３】
2008011405.tif 000005
【図４】
2008011405.tif 000006
【図５】
2008011405.tif 000007
【図６】
2008011405.tif 000008
【図７】
2008011405.tif 000009
【図８】
2008011405.tif 000010